(57)【要約】      （修正有）【課題】体幹バランスの悪い要介護者が食事等のためにベッドや和床の敷布団等に座った着座姿勢を保持することができ、ベッド等に固定する必要がなくて使い勝手が良く、座卓やこたつの座椅子としても使用することができ、取り扱いに優れた介護用座椅子を提供する。【解決手段】ベッドや敷布団等を座面とし、この座面に当接するコの字状の本体１、背受け６、お尻の一部が乗る尻当て７、不使用時には折り畳まれて本体１に沿い、使用時に外方向に開く支持脚２を、本体１の両側面と背面に設けたことから、介護用座椅子を要介護者の後方からあてがうだけで目的が達成できる。特に、尻当て７が要介護者の体重の一部を受け、背受け６にもたれ掛かることで発生する介護用座椅子を後方へ移動させる力を吸収し、あたかも船のアンカー（錨）の如く介護用座椅子を固定し要介護者の座位保持を確実にする。【選択図】図１
0003195321.tif 000002
【実用新案登録請求の範囲】
【請求項１】
要介護者の着座姿勢を保持するための介護用座椅子であって、座面に当接するコの字状の本体1、背受け6、お尻の一部が乗る尻当て7、不使用時には折り畳まれて本体1に沿い、使用時に外方向に開く支持脚2を、本体1の両側面と背面に設けたことを特徴とする介護用座椅子。
【考案の詳細な説明】
【技術分野】
【０００１】
この考案は、高齢者や身体障害者等の要介護者が着座姿勢を保持するために使用する介護用座椅子に関するものである。
【背景技術】
【０００２】
要介護認定を受けた高齢者や身体に障害を持ち体幹バランスが悪くなた要介護者は、食事等のためにベッドや和床上で起き上がった場合や、ベッドの側端に腰掛た場合に姿勢の保持が困難である。座卓やこたつで使用する一般的な座椅子は、着座するために自力で移動することが困難な要介護者である場合には介助者が要介護者のお尻を持ち上げ座面上へ着座させる必要があり、介助者への負担が多かった。その欠点を補うため要介護者のお尻を持ち上げなくとも要介護者の後方からあてがうだけで姿勢を保持することができる座椅子として登録実用新案第3158819号（特許文献1）、特許公開2007-105420（特許文献2）、特許公開2007-312（特許文献3）、登録実用新案第3131925号（特許文献4）等が提案されている。
【先行技術文献】
【特許文献】
【０００３】
【特許文献１】登録実用新案第3158819号公報
【特許文献２】特許公開2007-105420号公報
【特許文献３】特許公開2007-312号公報
【特許文献４】登録実用新案第3131925号公報
【考案の概要】
【考案が解決しようとする課題】
【０００４】
特許文献１〜3には共通する特徴として、要介護者のお尻を持ち上げなくても座椅子を要介護者の後方からあてがうだけで着座姿勢を保持しようとする座椅子を設置できる機構であることが提案されている。しかし、特許文献１と2に記載の座椅子は、ベッドや敷布団等の上に置いているだけであり、要介護者が背受けに寄りかかった場合に座椅子の自重とベッドや敷布団等との摩擦係数による摩擦力だけでは背受けに作用する力に抗することができず、座椅子がベッドや敷布団等の上で容易に滑ってしまい着座姿勢を保持することができない。また、特許文献3に記載の座椅子は、使用時に座椅子前方に設けられた介護用ベッドと座椅子を固定するための固定ベルトを取り付けなくてはならず、介護用ベッドと組み合わせて使用するもので汎用性に乏しく、製作コストも高価である。また、特許文献4に記載の座椅子は、着座後に脱着式の座位調整安定板と呼ぶ板を太腿の付け根部下を通過させ席枠に取り付けることで、要介護者が背受けに寄りかかった場合に背受けに作用する力を座椅子内の力の関係として相殺する機構となっており、要介護者が背受けに寄りかかった場合にも座椅子がベッドや敷布団等の上で容易に滑ることはない。しかし、体が自由にならない要介護者が着座した状態で、介助者または要介護者自身が脱着式の座位調整安定板を座枠に確実に取り付けることはとても面倒であり困難である。
本考案は、これらの課題を解決することを目的とするもので、体幹バランスの悪い要介護者が食事等のためにベッドや敷布団等に座った着座姿勢を保持することができ、ベッド等に固定する必要がなくて使い勝手が良く、座卓やこたつの座椅子としても使用することができ、取り扱いに優れた介護用座椅子を提案するものである。
【課題を解決するための手段】
【０００５】
上記の目的を達成するため、本考案は、要介護者の着座姿勢を保持するための介護用座椅子であって、ベッドや敷布団等を座面とし、この座面に当接するコの字状の本体1、背受け6、お尻の略半分が乗る程度の長さの尻当て7、不使用時には折り畳まれて本体1に沿い、使用時に略100度回転させて外方向に開く支持脚2を、本体1の両側面と背面に設けたことから、介護用座椅子を要介護者の後方からあてがうだけで目的が達成できることを特徴とするものである。
特に、尻当て7が要介護者の体重の一部を受け、要介護者が背受け6にもたれ掛かることで発生する座椅子を後方へ移動させる力を吸収し、あたかも船のアンカー（錨）の如く座椅子を固定し要介護者の座位保持を確実にすることは、先行技術に該当する記述がなく、本考案で初めて開示された特筆すべき課題解決手段である。
【考案の効果】
【０００６】
本考案の介護用座椅子を使用することにより、要介護者が楽な座位姿勢を保持することができるようになることから、食事やテレビ観賞、手芸、碁や将棋等が可能になり、自立の起因となる。
また、本考案の介護用座椅子は、要介護者のお尻を持ち上げて着座させる必要がなく、前かがみになった要介護者の後方から本座椅子をあてがうだけで使うことができると共に、軽量で誰でも簡単に取り扱いができることから、老老介護の場合でも介助者の重労働や腰痛発生の危険から開放される。
また、本考案の介護用座椅子は、構成が簡単で製作が容易であるから製作コストが安価であり、要介護者を家庭で介護する場合や介護施設での複数台の導入も少ない負担で可能である等の経済的効果を有するものである。
【図面の簡単な説明】
【０００７】
【図１】図面は本考案の実施例であり、斜め左前方から見た斜視図。
【考案を実施するための形態】
【０００８】
要介護者を任意の向きに起こした後若干前傾姿勢をとらせ、本体1を身体の側面に差し入れ尻当て7の前方端がお尻の下中程まで挿入したら要介護者は楽な姿勢に戻し、本体1の両脇と後方に折り畳んで設けた支持脚2を外側へ回転し最下点でロックするまで押し下げ固定し、介護用座椅子とする。
【実施例】
【０００９】
以下に本考案の実施例について図面を用いて具体的に説明する。
本考案は、要介護者の着座姿勢を保持するための介護用座椅子であって、ベッドや和床の敷布団等を直接の座面とし、この座面に当接するコの字状の本体1、両肘掛け4、背受け6、お尻の略半分が乗る程度の長さの尻当て7、不使用時には折り畳まれて本体1に沿い、使用時に略100度回転させて外方向に開く支持脚2を、本体1の両側面と背面に設けたことを特徴とするものである。
本体1は、今回の実施例では試作品であることから一般市販されているプラスチック製コンテナ（保管箱）の箱を利用し、不要部分を切り取ることで製作し、要介護者の体重を支えるのに十分な強度と大きさを得ることができた。尚、量産する場合には専用の金型を使った最適形状の本体が望ましいことは云うまでもない。
背受け6は、長時間の座位保持での背中の蒸れによる不快感を抑制するためと、要介護者の横方向の体の保持と緩衝効果を考慮して、自動車の座席で背中の蒸れを防止する目的で開発された網目状の背受け布と3次元形状フレームからなる一般市販されている背当てを用いた。尚、発泡ウレタンや綿を芯材とする背当ても同様に使用することができる。
尻当て7は、帆布やデニム等の丈夫な布製とし、要介護者が着座した際に異物感のないように配慮し本体1の底部に固定した。その大きさは、座椅子を要介護者の後方からあてがった場合に前かがみで座った要介護者のお尻の下に差し込める程度までの長さとすることで、要介護者が背受けに寄り掛かった場合には体重の一部をこの尻当てが受け、あたかも船のアンカー（錨）のごとく作用することから、座椅子が後方へ容易に滑り動くことはない。
支持脚2は、折り畳み式座卓等で用いられるワイヤー式の折り畳み脚を用いた。これにより、簡単操作で支持脚2を開き固定できるので確実に座椅子の後方あるいは左右方向への倒れを防止することができる。また、収納時には支持脚2の付け根付近を手で内側に寄せることで容易にロックを解除し簡単に折り畳むことができ、省スペースで介護用座椅子の保管が可能である。更に軽量な大量生産品であることから安価堅牢で軽く高品質な支持脚が得られる利点がある。
【産業上の利用可能性】
【００１０】
本考案は、介護業界において要介護者と介助者の座位保持作業を容易にすることを目的とする介護用座椅子に関する考案であり、介護用座椅子の製造販売および使用の各産業において利用可能性のあるものである。
【符号の説明】
【００１１】
1 本体
2 支持脚
4 肘掛け
6 背受け
7 尻当て
【図１】
0003195321.tif 000003